(57)【要約】【課題】人工魚礁や被覆ブロック等の各種形状の造成用構造物に対して、簡単に取り付けることができる移植用の海藻種苗を用いることで、作業性が合理化されるとともに、種苗の定着率が高い藻場造成方法を提供する。【解決手段】片面側に鋸歯状突起が形成されループ状に湾曲可能な帯状部２を、内部に係止爪を備えた箱状の頭部３でループ状態に保持する合成樹脂製結束バンド４の頭部３に、海藻の小藻体５を着生した構成の海藻種苗１を使用する藻場造成方法であって、結束バンド４のループ状保持機能を利用し、造成用構造物１０のフック１２に巻き付けて取り付ける。そして、この海藻の小藻体５が造成用構造物１０上で成体となり、周囲に遊走子等を拡散することで藻場が造成される。【選択図】      図３
2011000089.tif 000002
【特許請求の範囲】
【請求項１】
ループ状に湾曲可能な帯状部を、その一端側に設けられた頭部でループ状態に保持する結束バンドの該頭部に、海藻の小藻体を着生してなる海藻種苗を用いた藻場造成方法であって、前記海藻種苗の結束バンドを造成場所の所要位置に巻きつけて固定した後、頭部上の小藻体が母藻となって周囲に海藻を繁茂させることを特徴とする藻場造成方法。
【請求項２】
前記結束バンドが、長手方向に連なる鋸刃状突起が片面に形成された帯状部と、他端側から内空部に挿通された該帯状部の鋸刃状突起に係止爪が係合してループ状を保持する頭部からなることを特徴とする請求項１に記載の藻場造成方法。
【発明の詳細な説明】
【技術分野】
【０００１】
本発明は、魚介類の繁殖をもたらし、海中環境の改善に大きく寄与する海藻類を中心とした藻場の造成技術に係り、より詳しくは移植用海藻種苗を用いた藻場造成技術に関するものである。
【背景技術】
【０００２】
現在、我国においては沿岸漁業の振興が重要な課題であり、魚介類、海藻類の増殖および養殖が図られている。しかるに、沿岸部では種々の原因によって藻場が消滅し、藻場を生活の場としている魚介類が激減する、いわゆる「磯焼け」と呼ばれる現象が各地に拡大し、その早急な対策が求められている。
【０００３】
従来、消失した藻場の再生あるいは新たな場所での藻場造成を行う場合には、海藻の着生床として機能し得る種々の工夫を施したコンクリートブロック等の構造体（着定基質あるいは着生基盤とも称されるが、本明細書においては「造成用構造物」という。）を対象海域に沈設し、それら構造体の表面に海藻が自然に着生するのを待つのが一般的な方法である。しかしながら、これら従来方法では、胞子等を介した自然着生に依存するため、特に重要な造成初期における海藻の着生状態が不確定な自然的要素によって大きく左右されるばかりか、藻場造成に時間がかかり、造成効率や確実性の点で根本的な問題があった。
【０００４】
そこで、近年の藻場造成工事においては、造成用構造物の沈設に付随して、移植用に調製された海藻種苗の導入が積極的に図られている。ここで使用される移植用海藻種苗とは、プレートやロープなどの適宜の素材・形状からなる基質の表面に、胞子等から育成された海藻種苗が着生（担持）した形態であり、当該基質と海藻種苗とが一体の状態で造成用構造物表面の適宜場所に固定される。移植用海藻種苗の生産において、それら基質に対する海藻種苗の着生作業は、陸上の水槽又は海中のいずれにおいても行うことができるが、基質表面に着生した海藻幼体を移植に耐え得る程度の大きさにするための中間育成は海中において行う必要がある。このような作業環境や作業手順などを勘案した場合、作業中における海藻種苗の取扱いやすさ、着生及び中間育成に必要な作業スペース、移植用海藻種苗としての大量生産への適合性などの点から、ロープ状基質のほうがプレート状基質に比べて優れていると言える。而して、この海藻種苗付きのロープ状基質を用いた藻場造成の従来例としては、特許文献１〜３が知られている。
【先行技術文献】
【特許文献】
【０００５】
【特許文献１】特開２００３−１４３９９９号公報
【特許文献２】特開２００１−２７５５１５号公報
【特許文献３】特開２０００−１１６２５６号公報
【０００６】
しかしながら、上記特許文献１あるいは特許文献２に開示された方法では、海藻種苗を着生させたロープ自体がコンクリートブロック等の造成用構造物の表面から離れた状態で設置される構成であるため、幾つかの問題点が存在する。すなわち、永続的な藻場を造成するには、構造上及び材質的に安定している造成用構造物の本体表面を海藻の生育場所（着生床）とする必要がある。ところが、このように造成用構造物の表面から離れた位置に海藻種苗を設置した場合には、造成用構造物表面での定着がそれら海藻種苗から放出される胞子等を介した着生に依存することになるから、海藻の定着に時間がかかるばかりか、確実に定着する保証もない。また、特許文献３に記載の方法は、造成用構造物に対して海藻種苗を近接状態で取り付ける構成ではあるものの、種苗付きロープがリング状に成形された係止具と一体化されていることにより、その適用対象が柱状部分を備える造成用構造物に限定されるという制約があった。
【発明の概要】
【発明が解決しようとする課題】
【０００７】
本発明は、以上のような従来の技術的状況に鑑みなされたもので、造成場所に移植用の海藻種苗が高い確率で早期に定着し、これが母藻となって藻場造成の核として機能するとともに、海藻固定のための取付部材を別に用意することなく、そのまま各種形状の造成用構造物等に適用が可能な藻場造成方法の提供を目的とするものである。
【課題を解決するための手段】
【０００８】
上記課題を解決するため、本発明に係る藻場造成方法では、ループ状に湾曲可能な帯状部を、その一端側に設けられた頭部でループ状態に保持する結束バンドの該頭部に、海藻の小藻体を着生してなる海藻種苗を用い、この海藻種苗の結束バンドを造成場所の所要位置に巻きつけて固定した後、頭部上の小藻体が母藻となって周囲に海藻を繁茂させるという技術手段を採用した点に特徴がある。
【０００９】
斯かる形態の海藻種苗は、帯状部をループ状態に保持可能な結束バンドが小藻体と一体になっているので、例えば海底に設置されるコンクリートブロックの表面に設けられたフックや構造物の棒状部分、あるいは自然の岩盤等を利用し、結束バンドの帯状部をそれらの部位に巻き付け、緩みの無い状態で頭部と帯状部とを係合させることにより、簡単かつ確実に取り付けることができる。
【００１０】
上記構成において、前記結束バンドとして、長手方向に連なる鋸刃状突起が片面に形成された帯状部と、他端側から内空部に挿通された該帯状部の鋸刃状突起に係止爪が係合してループ状を保持する頭部からなるものを使用した場合には、取付時の作業性が一段と向上し、造成用構造物等に対する取付後の固定状態もより安定する。
【発明の効果】
【００１１】
本発明に係る藻場造成方法においては、帯状部と頭部とでループ状の緊締状態を実現可能な結束バンドの頭部に着生させた海藻の小藻体を移植用の種苗として使用するので、次の効果を得ることができる。
（１）小藻体と一体になっている結束バンドを利用することにより、各種の造成用構造物や自然の岩盤などに対して、移植用の種苗を簡単に取り付けることができる。そこで定着して成体となった海藻種苗は、藻場造成の核として周囲に遊走子等を拡散することにより、造成用構造物の他の部位や周囲の捨て石などに海藻を繁茂させ、藻場を短期間で確実かつ経済的に拡大することができる。
（２）造成用構造物の取付部位に結束バンドの帯状部を巻き付け、緩みのない状態で頭部と帯状部とを係合させることにより緊締状態が維持されるから、取付後の海藻種苗の固定状態が安定する。その結果、小藻体の仮根部が結束バンドの頭部から造成用構造物の表面に速やかに伸長し、小藻体は比較的短期間で造成用構造物に定着することになる。したがって、このような海藻種苗を使用すれば、造成途中で脱落して流失することが少なく、造成途中での枯死も減少するなど、種苗の定着率が向上する。
（３）上記結束バンドの緊締機能を利用するから、海上での造成用構造物への取付けは無論のこと、沈設後の海中での取付けも容易であり、取付作業の自由度が高い。さらに、枯死した種苗の交換や種苗の追加も可能である。
（４）１個の結束バンド上に藻体１個体を着生させた海藻種苗を移植用として使用すれば、藻場造成を計画する際の実必要量に合わせて良好な生育状態の藻体を必要最低限の数量で対応させることができ、種苗の効率的な使用につながる。
【図面の簡単な説明】
【００１２】
【図１】本発明で使用する海藻種苗の正面図である。
【図２】結束バンドの正面図とその中央横断面図である。
【図３】本発明に係る藻場造成方法の第１実施例を示す斜視図である。
【図４】本発明に係る藻場造成方法の第２実施例を示す斜視図である。
【図５】本発明に係る藻場造成方法の第３実施例を示す斜視図である。
【発明を実施するための形態】
【００１３】
本発明では、電線やケーブルなどの結束に広く利用されている結束バンドの頭部を海藻類の着生床とし、種苗藻体と一体になった結束バンドのループ状保持機能を、造成用構造物等に対する取付手段として利用する点に技術的な特徴がある。この場合の結束バンドとしては、例えばインシュロックの商品名で広く知られている合成樹脂製の結束バンドが好適であるが、帯状部と頭部を備えた各種形状、素材からなるものの適用が可能であり、それら帯状部と頭部とが必ずしも一体のものに限定されず、分割可能な形態であってもよい。本発明で使用する海藻種苗は、その一部を構成する結束バンドをループ状にして取り付けるものであるから、例えば造成用構造物に設けられた沈設用のフック、結束バンドの帯状部を巻回可能な棒状部分等の部位を有する魚礁ブロック、消波ブロック、被覆ブロック、根固めブロックなどの各種構造物に適用することができる。さらに、取付個所の形状を適宜選択することで自然の岩盤や岩石にも適用可能であり、海上での造成用構造物への取付、あるいは海中での取付作業も可能である。
【００１４】
上記のような種苗藻体と一体になった結束バンドからなる海藻種苗の生産は、例えば複数の結束バンドをそれぞれの頭部が互いに近づくように集合状態とし、海藻類の胞子、配偶体、幼胚等の生殖細胞を含む水槽内に設置する。これにより、それら生殖細胞が直接的に各結束バンドの頭部表面に付着し、この頭部上で小藻体の段階になるまで生育する。なお、生殖細胞の付着をより高めるため、頭部表面を粗面化すると好適である。その後、これらの結束バンドの集合状態を解き、個々の結束バンド単位で藻場造成用の海藻種苗として利用することになるが、海藻の種類、使用目的、設置場所の環境など、使用条件に応じてさらに海中で中間育成を行ってもよい。本発明が対象とする藻場は、上記のような結束バンドと一体化された種苗藻体の入手如何によるが、褐藻類、紅藻類、緑藻類などでの種苗生産が可能であり、藻場を構成する海藻種は特に限定されない。本発明に適用可能な海藻は、藻場造成の主たる目的や地域に自生する海藻などを考慮して選択すればよく、例えば魚類の産卵場所などの藻場造成を主目的とする場合にはホンダワラ類のような大型海藻が好ましく、またアワビやサザエの養殖に餌料として利用する場合には、アラメ、カジメ、クロメ等のコンブ科海藻が好ましい。以下、図面に基づき本発明の実施例について説明するが、もちろんこれに限定されるものではなく、この発明の技術思想内での種々の変更実施は可能である。
【実施例１】
【００１５】
図１は、本発明で使用する海藻種苗の正面図である。図示の海藻種苗１は、帯状部２の一端側に箱状の頭部３が設けられた結束バンド４と海藻の小藻体５からなり、小藻体５が結束バンド４の頭部３に対して、帯状部２の延在方向と反対側の表面部に着生し、両者が一体化した構成となっている。
【００１６】
図２(ａ)、(ｂ)は、上記結束バンド４の構成をより詳細に示したもので、それぞれ正面図と中央横断面図である。結束バンド４は、全体がポリアミド等の合成樹脂からなり、可撓性を有する帯状部２の片面側には長手方向に沿って鋸歯状突起２ａが形成されるとともに、帯状部２の一端側に位置する箱状の頭部３の内空部３ａには係止爪３ｂが設けられている。そして、結束バンドとしての機能を利用する時には、帯状部３を湾曲させてその他端側から頭部３の内空部３ａに挿通すると、帯状部３の鋸歯状突起２ａが頭部３の係止爪３ｂと係合し、これにより該帯状部２を任意の位置でループ状に保持できる。なお、本発明に適用可能な結束バンドは、これに限定されるものではなく、材質、各部の寸法、全体形状、係止構造などを適宜変更することができる。
【００１７】
図３は、本発明に係る藻場造成方法の第１実施例であり、藻場造成用の構造物として、例えば基礎捨石マウンドの法肩部分に設置される被覆ブロックに海藻種苗１を適用した場合を示す斜視図である。図示の被覆ブロック１０は、中央部に貫通孔１１が形成された略三角形板状のコンクリート構造物であり、頂部に近い上面部分に吊下げ用のフック１２がそれぞれ設けられたものである。この場合、結束バンドの帯状部２をフック１２に巻き付け、その他端側を頭部３に挿入して引っ張るだけで、簡単かつ確実に取り付けることができ、取付後の固定状態も安定する。フック１２に海藻種苗１を取り付ける際には、被覆ブロック１０の表面にできるだけ近い位置のほうが、小藻体５の仮根部が早期に定着しやすくなる。本発明に係る海藻種苗１は、ループ状の緊締状態を造成用構造物に対する取付手段として利用するものであるから、沈設前の造成用構造物はもちろんのこと、沈設されたものに対しても同じように取付が可能であるという利点がある。
【実施例２】
【００１８】
図４は、本発明に係る藻場造成方法の第２実施例であり、造成用構造物の形状と海藻種苗の取付方法が前記実施例とは異なる。この実施例で使用する造成用構造物２０は、３本の柱状体が交差するように一体化されたコンクリート製の構造体であり、Ｘ字状に配置される２本の柱状体２１ａ、２１ｂに対して、それらを跨ぐように配置される柱状体２１ｃが下方に位置するように海底に設置されるもので、消波ブロックとして利用されているものである。斯かる造成用構造物２０に対して、海藻種苗１は、その２本の柱状体２１ａ、２１ｂの上部に結束バンドの帯状部２を巻き付け、頭部３と係合させることで強固に固定される。この場合には、柱状体２１ａ、２１ｂ、２１ｃの周囲が魚介類の棲息空間として活用される。なお、海藻種苗１の取付位置はこれに限定されず、下方の柱状体２１ｃの上面に小藻体５が位置するように設けることも可能である。
【実施例３】
【００１９】
図５は、本発明に係る藻場造成方法の第３実施例であり、造成用構造物として人工魚礁に適用した場合を示している。図示の造成用構造物３０は、角型魚礁あるいは並型魚礁と称される立方格子枠状のコンクリート構造物である。海藻種苗１は、上部側に位置する水平方向の格子枠３１の各辺にそれぞれ２個ずつと、鉛直方向の各格子枠３２にそれぞれ１個ずつが取り付けられている。この場合、結束バンド４の緊締機能が高いから、水平方向の格子枠３１は無論のこと、鉛直方向の格子枠３２においても海藻種苗１が確実に固定されるので、早期に造成用構造物３０の表面に定着し、そこで成熟して周囲に無数の遊走子等を放出する。その結果、造成用構造物３０のその他の表面はもちろんのこと、近くにある他の造成用構造物や周囲に付設した捨て石などの表面にも遊走子等が付着する。これらの場所に着生して成育した海藻は、同様に遊走子等を放出する。このサイクルが繰り返されることにより、次第に海藻の生育範囲が拡大し、藻場が形成される。斯かる人工魚礁３０に適用した場合には、棲息空間と餌料の供給場所とが同時に提供されるので、魚介類にとって理想的な場所となる。
【産業上の利用可能性】
【００２０】
本発明によれば、種苗藻体と結束バンドとが一体になった海藻種苗を移植用として使用することにより、海藻の着生場所となる各種構造物等に対する取付が容易になり、その固定状態も良好であるから、藻場造成の成功率が高まり、作業の合理化も図れる。
【符号の説明】
【００２１】
１…海藻種苗、２…帯状部、２ａ…鋸歯状突起、３…頭部、３ａ…内空部、３ｂ…係止爪、４…結束バンド、５…小藻体、１０，２０，３０…造成用構造物、１２…フック、２１ａ，２１ｂ，２１ｃ…柱状体、３１，３２…格子枠
【図１】
2011000089.tif 000003
【図２】
2011000089.tif 000004
【図３】
2011000089.tif 000005
【図４】
2011000089.tif 000006
【図５】
2011000089.tif 000007